(57)【特許請求の範囲】
【請求項１】
台座部と、
前記台座部上に配置された電気光学パネルと、
前記電気光学パネルを保護するフレームと、
前記フレームの脱落を防止する固定部材と
を備え、
前記台座部は、光源と、前記光源を支持するとともに収容する第１部材と、前記光源を保護するとともに前記電気光学パネルを支持する第２部材とを有し、
前記固定部材は、前記第１部材に嵌合させる嵌合部と、前記嵌合部に固定されるとともに、前記フレームに対して内側に向かう力が働かない態様で、前記フレームが脱落する方向に変位するのを妨げるとともに、前記第２部材に対して内側に向かう力が働かない態様で、前記第２部材が脱落する方向に変位するのを妨げる干渉部と
を有する
電気光学装置。
【請求項２】
前記第１部材は、側面に、前記嵌合部を嵌合させる孔を有し、
前記第２部材は、前記第１部材の側面と向き合う第２壁部を有し、
前記フレームは、前記第２壁部および前記電気光学パネルの側面と向き合う第１壁部を有し、
前記第１壁部は、前記孔に対応する箇所に、前記干渉部を挿通可能な第１開口を有し、
前記第２壁部は、前記孔に対応する箇所に、前記干渉部を挿通可能な第２開口を有し、
前記嵌合部は、前記孔に嵌合され、
前記干渉部は、前記第１開口内および前記第２開口内に挿通されている
請求項１に記載の電気光学装置。
【請求項３】
前記第１開口は、前記干渉部を挿通する方向と平行な内面で構成されている
請求項２に記載の電気光学装置。
【請求項４】
前記干渉部は、前記第１開口に収まる大きさとなっている
請求項３に記載の電気光学装置。
【請求項５】
前記干渉部の先端は、平坦面を有しており、
前記平坦面は、前記フレームの最外面と同一面内、または前記第１開口の内部に配置されている
請求項４に記載の電気光学装置。
【請求項６】
前記電気光学パネルは、入射光を変調することにより映像を表示する表示パネルであり、
前記台座部は、前記電気光学パネルの背面に光を照射するバックライトである
請求項１に記載の電気光学装置。
【請求項７】
前記第２開口は、前記干渉部を挿通する方向と平行な内面で構成されている
請求項２に記載の電気光学装置。
【発明の詳細な説明】
【技術分野】
【０００１】
本技術は、液晶パネル等の電気光学パネルを備えた電気光学装置に関する。
【背景技術】
【０００２】
近年、自動車には、液晶パネル等の電気光学パネルが様々な箇所に用いられている。例えば、カーナビゲーション装置の表示部に電気光学パネルが用いられている。最近では、自動車の速度やエンジンの回転数、ガソリンの残量、エンジン冷却水の温度などを表示するインスツルメント・パネル（インパネ）にも電気光学パネルが用いられるようになってきている。
【０００３】
上記の電気光学パネルは、外部からの衝撃などから保護するために、駆動基板などと共に、筐体で覆われる（例えば、特許文献１参照）。筐体は、例えば、電気光学パネルや駆動基板などを載置する容器本体（台座部）と、その台座と組み合わせることで、電気光学パネルや駆動基板などを保護するカバー（フレーム）とで構成される。フレームには、電気光学パネルの表示面に対応して開口が設けられており、台座部およびフレームが、ボルトなどで互いに固定されることにより、電気光学パネルの表示面と、フレームの開口との位置決めがなされる。
【先行技術文献】
【特許文献】
【０００４】
【特許文献１】特開２０１１−１８６０２４号公報
【発明の概要】
【発明が解決しようとする課題】
【０００５】
ところで、上述のように、台座部とフレームをボルトなどで互いに固定したときに、ボルトによる締め付けに起因する応力が、台座部を介して電気光学パネルに伝わることがある。電気光学パネルに対して、そのような応力が加わると、輝度ムラが発生するという問題があった。
【０００６】
本技術はかかる問題点に鑑みてなされたものであり、その目的は、台座部にフレームを固定したときに電気光学パネルに応力が伝わるのを低減することの可能な電気光学装置を提供することにある。
【課題を解決するための手段】
【０００７】
本技術の電気光学装置は、台座部と、電気光学パネルと、台座部および電気光学パネルを保護するフレームと、フレームの脱落を防止する固定部材とを備えている。台座部は、光源と、光源を支持するとともに収容する第１部材と、光源を保護するとともに電気光学パネルを支持する第２部材とを有している。固定部材は、第１部材に嵌合させる嵌合部と、嵌合部に固定された干渉部とを有している。ここで、干渉部は、フレームに対して内側に向かう力が働かない態様で、フレームが脱落する方向に変位するのを妨げるようになっている。また、第２部材に対して内側に向かう力が働かない態様で、第２部材が脱落する方向に変位するのを妨げるようになっている。
【０００８】
本技術の電気光学装置では、フレームに対して内側に向かう力が働かない態様で、フレームが脱落する方向に変位するのを妨げる干渉部が設けられている。これにより、固定部材を用いて台座部にフレームを固定したときにフレームに生じる歪みを、ボルトによる締め付けによって生じる歪みよりも小さくすることができる。
【発明の効果】
【０００９】
本技術の電気光学装置によれば、固定部材を用いて台座部にフレームを固定したときにフレームに生じる歪みを、ボルトによる締め付けによって生じる歪みよりも小さくすることができるようにしたので、台座部にフレームを固定したときに電気光学パネルに応力が伝わるのを低減することができる。その結果、輝度ムラを低減することができる。
【図面の簡単な説明】
【００１０】
【図１】本技術の一実施の形態に係る表示装置の断面構成図である。
【図２】図１の表示装置の展開斜視図である。
【図３】図１の表示装置のうち固定部材およびその近傍の断面斜視図である。
【図４】図１のバックライトの一変形例の展開斜視図である。
【図５】図４のバックライトを備えた表示装置のうち固定部材およびその近傍の一例の断面斜視図である。
【図６】図４のバックライトを備えた表示装置のうち固定部材およびその近傍の他の例の断面斜視図である。
【図７】図１の表示装置の一応用例に係る電子機器の斜視図である。
【図８】図１の表示装置の他の応用例に係るインスツルメント・パネルの正面図である。
【発明を実施するための形態】
【００１１】
以下、発明を実施するための形態について、図面を参照して詳細に説明する。なお、説明は以下の順序で行う。
１．実施の形態
２．変形例
３．応用例
【００１２】
＜１．実施の形態＞
[構成]
まず、本技術の一実施の形態に係る表示装置１について説明する。図１は、表示装置１の断面構成の一例を表したものである。図２は、表示装置１の概略構成の一例を展開して斜視的に表したものである。なお、図１は、図２のＡ−Ａ線における断面に対応している。表示装置１は、表示パネル１０と、表示パネル１０の背面に配置されたバックライト２０と、表示パネル１０とバックライト２０との間に配置された粘着層３０と、これらを覆う（保護する）フレーム４０とを備えている。表示装置１は、さらに、バックライト２０およびフレーム４０を互いに固定する固定部材５０を備えている。なお、表示パネル１０が本技術の「電気光学パネル」の一具体例に相当し、バックライト２０が本技術の「台座部」の一具体例に相当する。
【００１３】
表示装置１は、さらに、図２に示したように、駆動基板６０と、ＦＰＣ（Flexible printed circuits：フレキシブルプリント基板）７０とを備えている。駆動基板６０は、表示パネル１０を駆動することにより表示パネル１０に映像を表示させるものであり、例えば、バックライト２０の背面側に配置されている。ＦＰＣ７０は、表示パネル１０と駆動基板６０とを電気的に接続するものであり、例えば、フレーム４０の内面と、バックライト２０の側面との隙間を介して、表示パネル１０と駆動基板６０とに連結されている。
【００１４】
（表示パネル１０）
表示パネル１０は、映像を表示するためのものであり、例えば、図２に示したような４辺を有する方形状となっている。表示パネル１０は、例えば、入射光を変調することにより映像を表示するものであり、例えば、映像信号に応じて各画素が駆動されることにより、背面側から入射した光を変調し、画像光を上面から出力する透過型の表示パネルである。表示パネル１０は、例えば、液晶層を一対の透明基板で挟み込んだ構造となっている。表示パネル１０の上面のうち各画素の配置された領域が映像表示面１１となっており、表示パネル１０の上面のうち外縁に相当する領域（具体的には映像表示面１１の周縁）が映像非表示領域であるフレーム領域となっている。表示パネル１０は、例えば、図示しないが、バックライト２０側から順に、偏光子、透明基板、画素電極、配向膜、液晶層、配向膜、共通電極、カラーフィルタ、透明基板および偏光子を有している。
【００１５】
（バックライト２０）
バックライト２０は、表示パネル１０の背面に光を照射するものである。バックライト２０は、例えば、エッジライト方式の照明装置であり、例えば、導光板と、導光板の端部に配置された光源と、導光板の上面に配置された各種光学フィルムとを有している。なお、バックライト２０は、光源の直上に各種光学フィルムが配置された直下方式の照明装置であってもよい。バックライト２０は、上述の光源等を覆う筐体を備えている。この筐体は、上述の光源等を載置するための容器本体（台座）と、その台座と組み合わせることで、上述の光源等を外部からの衝撃などから保護するためのカバー（フレーム）とで構成されている。フレームには、表示パネル１０の映像表示面１１に対応して開口２２が設けられており、台座およびフレームが、ボルトなどで互いに固定されることにより、映像表示面１１と開口２２との位置決めがなされている。バックライト２０は、さらに、後述の嵌合部５２（図３参照）を嵌合させる孔２１を側面に備えている。孔２１は、例えば、バックライト２０の台座の側面に設けられている。
【００１６】
（粘着層３０）
粘着層３０は、表示パネル１０およびバックライト２０を互いに固定するものである。粘着層３０は、例えば、両面テープからなり、表示パネル１０およびバックライト２０のそれぞれの外縁を互いに接着するようになっている。粘着層３０は、表示パネル１０のフレーム領域に対応して配置されている。粘着層３０は、表示パネル１０が図２に示したような４辺を有する方形状となっている場合には、例えば、４辺を有する方形状となっており、かつ映像表示面１１に対応して開口３１を有する環状の形状となっている。なお、粘着層３０は、表示パネル１０のフレーム領域の辺ごとに１つずつ別個に設けられていてもよい。粘着層３０が表示パネル１０のフレーム領域の辺ごとに１つずつ別個に設けられている場合には、各辺に設けられた粘着層３０は、例えば、帯状の形状となっている。また、粘着層３０は、表示パネル１０のフレーム領域の一部の辺にだけ設けられていてもよい。
【００１７】
なお、表示装置１は、粘着層３０の代わりに、接着層を備えていてもよい。このとき、接着層は、粘着層３０と材料や性質が異なる以外は、粘着層３０についての上述の構成と同一の構成となっている。
【００１８】
（フレーム４０）
フレーム４０は、バックライト２０上の表示パネル１０を保護するためのものである。フレーム４０は、蓋状となっている。フレーム４０は、バックライト２０が図２に示したような４辺を有する方形状となっている場合には、例えば、直方体形状となっている。フレーム４０は、例えば、表示パネル１０の映像表示面１１に対応して開口４４を有する上板部４２と、上板部４２の外縁に沿って立設された壁部４３とを有している。
【００１９】
上板部４２は、板状となっている。上板部４２は、表示パネル１０が図２に示したような４辺を有する方形状となっている場合には、例えば、４辺を有する長方形状となっており、かつ映像表示面１１に対応して開口４４を有する環状の形状となっている。上板部４２は、表示パネル１０の映像表示面１１と非対向の領域に配置されており、かつ表示パネル１０の上面とは所定の間隙を介して配置されている。壁部４３は、表示パネル１０およびバックライト２０の側面と向き合う位置に配置されており、表示パネル１０およびバックライト２０の側面と所定の間隙を介して配置されている。壁部４３は、バックライト２０の孔２１に対応する箇所に、後述の干渉部５１（図３参照）を挿通可能な開口４１を有している。開口４１は、干渉部５１を挿通する方向と平行な内面で構成されている。つまり、開口４１には、フレーム４０に対して内側に向かう力が働くような構造が設けられていない。
【００２０】
（固定部材５０）
次に、固定部材５０について説明する。図３は、固定部材５０の断面斜視図である。固定部材５０は、フレーム４０の脱落を防止するものである。固定部材５０は、嵌合部５２と、干渉部５１とを有している。嵌合部５２は、バックライト２０に嵌合させるものであり、バックライト２０の孔２１に嵌合されている。嵌合部５２は、例えば、オスネジの先端と同様の形状となっている。このとき、孔２１は、嵌合部５２の形状に対応する形状となっており、例えば、メスネジと同様の形状となっている。
【００２１】
干渉部５１は、嵌合部５２に固定されるとともに、フレーム４０に対して内側に向かう力が働かない態様で、フレーム４０が脱落する方向に変移するのを妨げるようになっている。干渉部５１は、フレーム４０の開口４１内に挿通されており、開口４１と対向する領域内に収まる大きさとなっている。干渉部５１は、開口４１と相似形状となっている。開口４１が円板形状となっている場合には、干渉部５１も、円板形状となっている。つまり、干渉部５１には、フレーム４０に対して内側に向かう力が働くような構造が設けられていない。
【００２２】
干渉部５１の先端は、平坦面を有している。平坦面には、例えば、図３に示したように、プラスドライバの先端を嵌め込むことの可能な溝が設けられている。これにより、干渉部５１の先端に設けられた溝にプラスドライバの先端を嵌め込み、嵌合部５２を孔２１にねじ込むことにより、固定部材５０を、バックライト２０に固定することが可能となっている。干渉部５１の先端に設けられた平坦面は、さらに、フレーム４０（壁部４３）の最外面と同一面内、または開口４１の内部に配置されている。つまり、フレーム４０の側面には、固定部材５０の出っ張りが存在しない。
【００２３】
なお、図３では、固定部材５０は、フレーム４０（具体的には開口４１の内面）に接していない様子が例示されているが、フレーム４０（具体的には開口４１の内面）に接していてもかまわない。いずれにしても、開口４１および固定部材５０には、フレーム４０に対して内側に向かう力が働くような構造が設けられていない。
【００２４】
［効果］
次に、表示装置１の効果について説明する。表示装置１では、フレーム４０に対して内側に向かう力が働かない態様で、フレーム４０が脱落する方向に変位するのを妨げる干渉部５１および開口４１が設けられている。具体的には、干渉部５１は、開口４１内に挿通されており、開口４１と対向する領域内に収まる大きさとなっている。さらに、開口４１は、干渉部５１を挿通可能になっており、かつ、干渉部５１を挿通する方向と平行な内面で構成されている。これにより、固定部材５０を用いてバックライト２０にフレーム４０を固定したときにフレーム４０に生じる歪みを、ボルトによる締め付けによって生じる歪みよりも小さくすることができる。その結果、バックライト２０にフレーム４０を固定したときに表示パネル１０に応力が伝わるのを低減することができる。その結果、輝度ムラを低減することができる。
【００２５】
＜２．変形例＞
[第１変形例]
図４は、上記実施の形態のバックライト２０の一変形例を展開して斜視的に表したものである。図５は、図４のバックライト２０を備えた表示装置のうち固定部材５０およびその近傍の断面斜視図である。
【００２６】
本変形例において、バックライト２０は、例えば、エッジライト方式の照明装置であり、例えば、導光板２３と、導光板２３の端部に配置された光源２４と、導光板２３の上面に配置された各種の光学フィルム２５とを有している。なお、バックライト２０は、光源の直上に各種光学フィルムが配置された直下方式の照明装置であってもよい。バックライト２０は、導光板２３、光源２４および光学フィルム２５を支持するとともに収容する支持部２６と、支持部２６と組み合わせることで、光源２４等を外部からの衝撃などから保護するフレーム２７とで構成された筐体を有している。支持部２６は、導光板２３の裏面側に配置された下板部２６Ｂと、下板部２６Ｂの外縁に立設するとともに導光板２３等の側面と所定の間隙を介して配置された壁部２６Ａとを有している。壁部２６Ａは、上記実施の形態の孔２１を有している。フレーム２７は、光源２４等を保護するだけでなく、表示パネル１０を支持する役割も有している。フレーム２７は、表示パネル１０の映像表示面１１に対応して開口２２が設けられた上板部２７Ａと、上板部２７Ａの外縁に立設するとともに支持部２６の側面（壁部２６Ａ）と向き合う位置に配置された壁部２７Ｂとを有している。壁部２７Ｂは、孔２１と対向する箇所に開口２８を有している。開口２８は、孔２１の開口部よりも大きなサイズとなっており、干渉部５１を挿通可能となっている。開口２８は、干渉部５１を挿通する方向と平行な内面で構成されている。つまり、開口２８には、フレーム２７に対して内側に向かう力が働くような構造が設けられていない。
【００２７】
本変形例では、干渉部５１は段差構造を有している。この段差構造は、フレーム４０に対して内側に向かう力が働かない態様で、フレーム４０が脱落する方向に変移するのを妨げるようになっているだけでなく、フレーム２７に対しても内側に向かう力が働かない態様で、フレーム２７が脱落する方向に変移するのを妨げるようになっている。段差構造は、例えば、図５に示したように、相対的に径の大きな第１の干渉部５１Ａと、相対的に径の小さな第２の干渉部５１Ｂとにより構成されている。第１の干渉部５１Ａおよび第２の干渉部５１Ｂは、例えば、中心線が互いに同一線上となるように配置されている。第２の干渉部５１Ｂは、第１の干渉部５１Ａと嵌合部５２との間に配置されている。
【００２８】
第１の干渉部５１Ａは、フレーム４０の開口４１内に挿通されており、開口４１と対向する領域内に収まる大きさとなっている。第１の干渉部５１Ａは、開口４１と相似形状となっている。開口４１が円板形状となっている場合には、第１の干渉部５１Ａも、円板形状となっている。つまり、第１の干渉部５１Ａには、フレーム４０に対して内側に向かう力が働くような構造が設けられていない。
【００２９】
一方、第２の干渉部５１Ｂは、フレーム２７の開口２８内に挿通されており、開口２８と対向する領域内に収まる大きさとなっている。第２の干渉部５１Ｂは、開口２８と相似形状となっている。開口２８が円板形状となっている場合には、第２の干渉部５１Ｂも、円板形状となっている。つまり、第２の干渉部５１Ｂには、フレーム２７に対して内側に向かう力が働くような構造が設けられていない。
【００３０】
第１の干渉部５１Ａの先端は、平坦面を有している。平坦面には、例えば、図５に示したように、プラスドライバの先端を嵌め込むことの可能な溝が設けられている。これにより、第１の干渉部５１Ａの先端に設けられた溝にプラスドライバの先端を嵌め込み、嵌合部５２を孔２１にねじ込むことにより、固定部材５０を、バックライト２０に固定することが可能となっている。第１の干渉部５１Ａの先端に設けられた平坦面は、さらに、フレーム４０（壁部４３）の最外面と同一面内、または開口４１の内部に配置されている。つまり、フレーム４０の側面には、固定部材５０の出っ張りが存在しない。
【００３１】
なお、図５では、固定部材５０は、フレーム２７，４０（具体的には開口２８，４１の内面）に接していない様子が例示されているが、フレーム２７，４０（具体的には開口２８，４１の内面）に接していてもかまわない。いずれにしても、開口２８，４１および固定部材５０には、フレーム２７，４０に対して内側に向かう力が働くような構造が設けられていない。
【００３２】
本変形例では、固定部材５０を用いてフレーム２７，４０を支持部２６に固定したときにフレーム２７，４０に生じる歪みを、ボルトによる締め付けによって生じる歪みよりも小さくすることができる。その結果、フレーム２７，４０を支持部２６に固定したときに表示パネル１０に応力が伝わるのを低減することができる。その結果、輝度ムラを低減することができる。
【００３３】
なお、図６に示したように、第１の干渉部５１Ａおよび第２の干渉部５１Ｂの径が互いに等しくなっていてもよい。この場合には、第１の干渉部５１Ａと第２の干渉部５１Ｂとの間には段差は存在しない。
【００３４】
[第２変形例]
上記実施の形態および上記第１変形例において、固定部材５０は、ネジの形状となっていたが、表示パネル１０に応力が伝わるのを低減することができる限りにおいて、それ以外の形状となっていてもよい。例えば、固定部材５０は、棒状の形状となっていてもよい。また、干渉部５１は、円板形状とは異なる形状となっていてもよい。なお、干渉部５１が円板形状とは異なる形状となっている場合には、開口４１（さらには開口２８）は、干渉部５１の形状に対応した形状となっていることが好ましい。
【００３５】
[第３変形例]
また、上記実施の形態、上記第１変形例および上記第２変形例において、固定部材５０は２つだけ設けられていたが、３つ以上設けられていてもよいし、１つだけ設けられていてもよい。また、上記実施の形態およびその変形例において、固定部材５０は、バックライト２０から着脱可能な構成となっていたが、バックライト２０に一旦固定したら着脱できない構成となっていてもよい。
【００３６】
[第４変形例]
上記実施の形態、上記第１変形例、上記第２変形例および上記第３変形例では、表示パネル１０が液晶表示パネルとなっている場合が例示されていたが、表示パネル１０がそれとは異なる表示パネルとなっていてもよい。
【００３７】
＜３．応用例＞
[第１応用例]
次に、上記実施の形態およびその変形例に係る表示装置１の一応用例について説明する。図７は、本応用例に係る電子機器１００の概略構成の一例を表す斜視図である。電子機器１００は、携帯電話機であり、例えば、図７に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００３８】
表示装置１１３は、上記実施の形態およびその変形例に係る表示装置１と同一の構成を備えている。これにより、表示装置１１３における輝度ムラを低減することができる。
【００３９】
[第２応用例]
続いて、上記実施の形態およびその変形例に係る表示装置１の他の応用例について説明する。図８は、本応用例に係るインスツルメント・パネル２００の概略構成の一例を表す正面図である。インスツルメント・パネル２００は、自動車の運転席の前面に設けられるものであり、表示装置２１０を備えている。表示装置２１０は、自動車の運転に必要な種々の情報を表示装置２１０の表示画面２１０Ａに表示するようになっている。表示装置２１０は、例えば、図８に示したように、自動車の速度２１１や、エンジンの回転数２１２、右折２１３、左折２１４、およびガソリンの残量やエンジン冷却水の温度などの各種情報２１５を表示するようになっている。
【００４０】
表示装置２１０は、上記実施の形態およびその変形例に係る表示装置１と同一の構成を備えている。これにより、表示装置２１０おける輝度ムラを低減することができる。
【００４１】
なお、上記実施の形態およびその変形例に係る表示装置１を応用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００４２】
また、例えば、本技術は以下のような構成を取ることができる。
（１）
台座部と、
前記台座部上に配置された電気光学パネルと、
前記電気光学パネルを保護するフレームと、
前記フレームの脱落を防止する固定部材と
を備え、
前記固定部材は、
前記台座部に嵌合させる嵌合部と、
前記嵌合部に固定されるとともに、前記フレームに対して内側に向かう力が働かない態様で、前記フレームが脱落する方向に変位するのを妨げる干渉部と
を有する
電気光学装置。
（２）
前記台座部は、側面に、前記嵌合部を嵌合させる孔を有し、
前記フレームは、前記台座部および前記電気光学パネルの側面と向き合う第１壁部を有し、
前記第１壁部は、前記孔に対応する箇所に、前記干渉部を挿通可能な第１開口を有し、
前記嵌合部は、前記孔に嵌合され、
前記干渉部は、前記第１開口内に挿通されている
（１）に記載の電気光学装置。
（３）
前記第１開口は、前記干渉部を挿通する方向と平行な内面で構成されている
（２）に記載の電気光学装置。
（４）
前記干渉部は、前記第１開口と対向する領域内に収まる大きさとなっている
（２）または（３）に記載の電気光学装置。
（５）
前記干渉部の先端は、平坦面を有しており、
前記平坦面は、前記フレームの最外面と同一面内、または前記開口の内部に配置されている
（２）ないし（４）のいずれか１つに記載の電気光学装置。
（６）
前記電気光学パネルは、入射光を変調することにより映像を表示する表示パネルであり、
前記台座部は、前記電気光学パネルの背面に光を照射するバックライトである
（１）ないし（５）のいずれか１つに記載の電気光学装置。
（７）
前記台座部は、光源と、前記光源を支持するとともに収容する第１部材と、前記光源を保護するとともに前記電気光学パネルを支持する第２部材とを有し、
前記干渉部は、前記第２部材に対して内側に向かう力が働かない態様で、前記第２部材が脱落する方向に変位するのを妨げるようになっている
（６）に記載の電気光学装置。
（８）
前記第１部材は、側面に、前記孔を有し、
前記第２部材は、前記第１部材の側面と向き合う第２壁部を有し、
前記第２壁部は、前記孔に対応する箇所に、前記干渉部を挿通可能な第２開口を有し、
前記干渉部は、前記第２開口内に挿通されている
（７）に記載の電気光学装置。
（９）
前記第２開口は、前記干渉部を挿通する方向と平行な内面で構成されている
（８）に記載の電気光学装置。
【符号の説明】
【００４３】
１…表示装置、１０…表示パネル、１１…映像表示面、２０…バックライト、２１…孔、２２，２８，３１，４１，４４…開口、２３…導光板、２４…光源、２５…光学フィルム、２６…支持部、２６Ａ，２７Ｂ，４３…壁部、２６Ｂ…下板部、２７，４０…フレーム、２７Ａ，４２…上板部、３０…接着層、５０…固定部材、５１，５１Ａ，５１Ｂ…干渉部、５２…嵌込部、６０…駆動基板、７０…ＦＰＣ、１００…電子機器、１１１…本体部、１１２…表示体部、１１３…表示装置、１１４…表示画面、１１５…操作ボタン、１１６…送話部。
【図１】
0005667033.tif 000002
【図２】
0005667033.tif 000003
【図３】
0005667033.tif 000004
【図４】
0005667033.tif 000005
【図５】
0005667033.tif 000006
【図６】
0005667033.tif 000007
【図７】
0005667033.tif 000008
【図８】
0005667033.tif 000009